(57)【特許請求の範囲】
【請求項１】
室内の室温を調節する空調装置による室温の調節動作と室内の床の表面温度を調節する床暖房装置による床の表面温度の調節動作とを制御する環境温度制御装置であって、
人体により略同一の暖かさが体感される前記室温と前記床の表面温度との組み合わせの集合として予め設定された暖房感レベルを、複数の前記暖かさについてそれぞれ記憶する暖房感レベル記憶部と、
前記暖房感レベル記憶部により記憶される複数の暖房感レベルのうち、いずれかを選択する選択指示を受け付ける暖房感レベル受付部と、
前記暖房感レベル受付部により受け付けられた選択指示により選択された暖房感レベルである選択暖房感レベルで示される前記室温と前記床の表面温度との組み合わせにさせるべく、前記空調装置による室温の調節動作と前記床暖房装置による床の表面温度の調節動作とを制御する制御部と、
前記空調装置と前記床暖房装置とによって、前記室温と前記床の表面温度とを調節するためのエネルギー効率が略同一となる前記室温と前記床の表面温度との組み合わせの集合として予め設定された省エネレベルを、複数の前記エネルギー効率に対してそれぞれ記憶する省エネレベル記憶部と、
前記省エネレベル記憶部により記憶される複数の省エネレベルのうち、いずれかを選択する選択指示を受け付ける省エネレベル受付部と備え、
前記制御部は、前記選択暖房感レベルで示される前記室温と前記床の表面温度との組み合わせであって、かつ前記省エネレベル受付部により受け付けられた選択指示により選択された省エネレベルである選択省エネレベルで示される前記室温と前記床の表面温度との組み合わせにさせるべく、前記空調装置による室温の調節動作と前記床暖房装置による床の表面温度の調節動作とを制御すること
を特徴とする環境温度制御装置。
【請求項２】
前記複数の暖房感レベルは、それぞれ前記室温の増減に応じて前記床の表面温度が減増するべく設定されていること
を特徴とする請求項１記載の環境温度制御装置。
【請求項３】
前記複数の暖房感レベルは、人体により快適であると体感される前記室温と前記床の表面温度との組み合わせの範囲内で設定されていること
を特徴とする請求項１又は２記載の環境温度制御装置。
【請求項４】
前記複数の省エネレベルは、それぞれ前記室温の増減に応じて前記床の表面温度が増減するべく設定されていること
を特徴とする請求項１〜３のいずれか１項に記載の環境温度制御装置。
【請求項５】
前記複数の省エネレベルは、人体により快適であると体感される前記室温と前記床の表面温度との組み合わせの範囲内で設定されていること
を特徴とする請求項１〜４のいずれか１項に記載の環境温度制御装置。
【請求項６】
請求項１〜５のいずれか１項に記載の環境温度制御装置と、
前記環境温度制御装置により室温の調節動作を制御される空調装置と、
前記環境温度制御装置により床の表面温度の調節動作を制御される床暖房装置と
を備えることを特徴とする環境温度制御システム。
【請求項７】
室内の室温を調節する空調装置による室温の調節動作と室内の床の表面温度を調節する床暖房装置による床の表面温度の調節動作とを制御する環境温度制御方法であって、
人体により略同一の暖かさが体感される前記室温と前記床の表面温度との組み合わせの集合として予め設定された暖房感レベルを、複数の前記暖かさについてそれぞれ記憶する工程と、
前記記憶された複数の暖房感レベルのうち、いずれかを選択する選択指示を受け付ける工程と、
前記受け付けられた選択指示により選択された暖房感レベルである選択暖房感レベルで示される前記室温と前記床の表面温度との組み合わせにさせるべく、前記空調装置による室温の調節動作と前記床暖房装置による床の表面温度の調節動作とを制御する制御工程と、
前記空調装置と前記床暖房装置とによって、前記室温と前記床の表面温度とを調節するためのエネルギー効率が略同一となる前記室温と前記床の表面温度との組み合わせの集合として予め設定された省エネレベルを、複数の前記エネルギー効率に対してそれぞれ記憶する工程と、
前記記憶された複数の省エネレベルのうち、いずれかを選択する選択指示を受け付ける工程と備え、
前記制御工程では、前記選択暖房感レベルで示される前記室温と前記床の表面温度との組み合わせであって、かつ前記受け付けられた選択指示により選択された省エネレベルである選択省エネレベルで示される前記室温と前記床の表面温度との組み合わせにさせるべく、前記空調装置による室温の調節動作と前記床暖房装置による床の表面温度の調節動作とを制御すること
を特徴とする環境温度制御方法。
【発明の詳細な説明】
【技術分野】
【０００１】
本発明は、空調装置及び床暖房装置の動作を制御する環境温度制御装置、及びこれを用いた環境温度制御システムに関する。そして、このような環境温度制御装置に利用される環境温度制御方法に関する。
【背景技術】
【０００２】
従来、居室空間の暖房には、空調装置を用いた温風暖房や、床暖房装置を用いて床表面の温度を上昇させて床からの輻射により暖房を行う輻射暖房が用いられている。図６は、室温と床表面温度との関係を示すグラフで、グラフ１０１は、空調装置を単独で運転した場合の室温と床表面温度との関係を示し、グラフ１０２は、床暖房装置を単独で運転した場合の室温と床表面温度との関係を示している。
【０００３】
グラフ１０１に示すように、空調装置を単独で運転した場合には、室温と床表面温度とは等しい関係となる。また、グラフ１０２に示すように、床暖房装置を単独で運転した場合には、暖められた床によって、室温も上昇するものの床の表面温度よりも室温の方が低い関係となる。そして、グラフ１０３は、一般的に人が快適であると体感する室温と床表面温度との組み合わせの範囲を示している。
【０００４】
また、人が感じる体感温度は、空調装置により暖められた室温のみによらないことから、空調装置と床暖房装置とを協調動作させることにより、快適性を向上させるものも知られている（例えば、特許文献１参照。）。
【特許文献１】特開平１１−２３７０５８号公報
【発明の開示】
【発明が解決しようとする課題】
【０００５】
ところで、空調装置を単独で運転した場合には、床暖房装置より効率よく室温を上昇させることができるので、床暖房装置よりエネルギー消費量を低減することができ、ランニングコストが低減される。しかし、空調装置単独での暖房においては、温風が不快であったり、暖気は部屋の上部に溜まり足元が冷たかったりするため、図６に示すように、空調装置を単独で運転した場合の室温と床表面温度との関係を示すグラフ１０１は人が快適であると体感する室温と床表面温度との組み合わせの範囲を示すグラフ１０３で囲まれた範囲から外れており、快適性において劣るという不都合があった。
【０００６】
また、床暖房装置を単独で運転した場合には、足元が暖かく頭寒足熱となるので、図６に示すように、床暖房装置を単独で運転した場合の室温と床表面温度との関係を示すグラフ１０２は、グラフ１０３で囲まれた範囲に入るため、快適性において優れている。しかし、床暖房装置は、空調装置よりもエネルギー効率が低いためにエネルギー消費量が増大し、ランニングコストが増大するという不都合があった。
【０００７】
そして、空調装置と床暖房装置とを協調動作させた場合には、床暖房装置を単独で運転した場合よりもエネルギー効率を増大させてエネルギー消費量を低減することができ、かつ図６に示すグラフ１０３で囲まれた一般的に人が快適であると体感する範囲で、室温と床表面温度とを調節することができる。しかし、快適であると感じる室温と床表面温度との組み合わせには個人差が有るため、グラフ１０３で囲まれた範囲であっても、必ずしも快適であるとは限らなかった。
【０００８】
本発明は、このような問題に鑑みて為された発明であり、体感温度の個人差を吸収しつつ空調装置と床暖房装置とを協調動作させて快適性を向上することができる環境温度制御装置、環境温度制御システム、及び環境温度制御方法を提供することを目的とする。
【課題を解決するための手段】
【０００９】
上述の目的を達成するために、本発明の第１の手段に係る環境温度制御装置は、室内の室温を調節する空調装置による室温の調節動作と室内の床の表面温度を調節する床暖房装置による床の表面温度の調節動作とを制御する環境温度制御装置であって、人体により略同一の暖かさが体感される前記室温と前記床の表面温度との組み合わせの集合として予め設定された暖房感レベルを、複数の前記暖かさについてそれぞれ記憶する暖房感レベル記憶部と、前記暖房感レベル記憶部により記憶される複数の暖房感レベルのうち、いずれかを選択する選択指示を受け付ける暖房感レベル受付部と、前記暖房感レベル受付部により受け付けられた選択指示により選択された暖房感レベルである選択暖房感レベルで示される前記室温と前記床の表面温度との組み合わせにさせるべく、前記空調装置による室温の調節動作と前記床暖房装置による床の表面温度の調節動作とを制御する制御部とを備えることを特徴としている。
【００１０】
また、上述の環境温度制御装置において、前記複数の暖房感レベルは、それぞれ前記室温の増減に応じて前記床の表面温度が減増するべく設定されていることを特徴としている。
【００１１】
また、上述の環境温度制御装置において、前記複数の暖房感レベルは、人体により快適であると体感される前記室温と前記床の表面温度との組み合わせの範囲内で設定されていることを特徴としている。
【００１２】
また、上述の環境温度制御装置において、前記室温の設定指示を受け付ける温度設定受付部をさらに備え、前記制御部は、前記温度設定受付部により受け付けられた室温にさせるべく前記空調装置による室温の調節動作を制御すると共に、前記温度設定受付部により受け付けられた室温に対して前記選択暖房感レベルにより組み合わされている床の表面温度にさせるべく前記床暖房装置による床の表面温度の調節動作を制御することを特徴としている。
【００１３】
また、上述の環境温度制御装置において、前記床の表面温度の設定指示を受け付ける温度設定受付部をさらに備え、前記制御部は、前記温度設定受付部により受け付けられた床の表面温度にさせるべく前記床暖房装置による床の温度の調節動作を制御すると共に、前記温度設定受付部により受け付けられた床の温度に対して前記選択暖房感レベルにより組み合わされている室温にさせるべく前記空調装置による室温の調節動作を制御することを特徴としている。
【００１４】
また、上述の環境温度制御装置において、前記室温と前記床の表面温度とのうち優先すべき温度の設定を受け付ける温度設定受付部をさらに備え、前記制御部は、前記温度設定受付部により受け付けられた温度が室温であった場合、前記温度設定受付部により受け付けられた室温にさせるべく前記空調装置による室温の調節動作を制御すると共に、前記温度設定受付部により受け付けられた室温に対して前記選択暖房感レベルにより組み合わされている床の表面温度にさせるべく前記床暖房装置による床の表面温度の調節動作を制御し、前記温度設定受付部により受け付けられた温度が床の表面温度であった場合、前記温度設定受付部により受け付けられた床の表面温度にさせるべく前記床暖房装置による床の温度の調節動作を制御すると共に、前記温度設定受付部により受け付けられた床の温度に対して前記選択暖房感レベルにより組み合わされている室温にさせるべく前記空調装置による室温の調節動作を制御することを特徴としている。
【００１５】
また、上述の環境温度制御装置において、前記空調装置と前記床暖房装置とによって、前記室温と前記床の表面温度とを調節するためのエネルギー効率が略同一となる前記室温と前記床の表面温度との組み合わせの集合として予め設定された省エネレベルを、複数の前記エネルギー効率に対してそれぞれ記憶する省エネレベル記憶部と、前記省エネレベル記憶部により記憶される複数の省エネレベルのうち、いずれかを選択する選択指示を受け付ける省エネレベル受付部とをさらに備え、前記制御部は、前記選択暖房感レベルで示される前記室温と前記床の表面温度との組み合わせであって、かつ前記省エネレベル受付部により受け付けられた選択指示により選択された省エネレベルである選択省エネレベルで示される前記室温と前記床の表面温度との組み合わせにさせるべく、前記空調装置による室温の調節動作と前記床暖房装置による床の表面温度の調節動作とを制御することを特徴としている。
【００１６】
また、上述の環境温度制御装置において、前記複数の省エネレベルは、それぞれ前記室温の増減に応じて前記床の表面温度が増減するべく設定されていることを特徴としている。
【００１７】
また、上述の環境温度制御装置において、前記複数の省エネレベルは、人体により快適であると体感される前記室温と前記床の表面温度との組み合わせの範囲内で設定されていることを特徴としている。
【００１８】
そして、本発明の第２の手段に係る環境温度制御システムは、上述の環境温度制御装置と、前記環境温度制御装置により室温の調節動作を制御される空調装置と、前記環境温度制御装置により床の表面温度の調節動作を制御される床暖房装置とを備えることを特徴としている。
【００１９】
さらに、本発明の第３の手段に係る環境温度制御方法は、室内の室温を調節する空調装置による室温の調節動作と室内の床の表面温度を調節する床暖房装置による床の表面温度の調節動作とを制御する環境温度制御方法であって、人体により略同一の暖かさが体感される前記室温と前記床の表面温度との組み合わせの集合として予め設定された暖房感レベルを、複数の前記暖かさについてそれぞれ記憶する工程と、前記暖房感レベル記憶部により記憶される複数の暖房感レベルのうち、いずれかを選択する選択指示を受け付ける工程と、前記暖房感レベル受付部により受け付けられた選択指示により選択された暖房感レベルである選択暖房感レベルで示される前記室温と前記床の表面温度との組み合わせにさせるべく、前記空調装置による室温の調節動作と前記床暖房装置による床の表面温度の調節動作とを制御する工程とを備えることを特徴としている。
【発明の効果】
【００２０】
このような構成の環境温度制御装置、環境温度制御システム、及び環境温度制御方法は、人体により略同一の暖かさが体感される室温と床の表面温度との組み合わせの集合として予め設定された暖房感レベルが、複数の暖かさについてそれぞれ記憶される。そして、ユーザが当該複数の暖房感レベルのうちいずれかを選択する選択指示が、暖房感レベル受付部により受け付けられるので、ユーザは自分の体感温度に応じて快適な暖房感レベルを選択することができる。そして、制御部によって、暖房感レベル受付部で受け付けられた選択指示により選択された暖房感レベルである選択暖房感レベルで示される前記室温と、前記床の表面温度との組み合わせにさせるべく、前記空調装置による室温の調節動作と前記床暖房装置による床の表面温度の調節動作とが制御されるので、ユーザの体感温度の個人差を吸収しつつ空調装置と床暖房装置とを協調動作させて快適性を向上することができる。
【発明を実施するための最良の形態】
【００２１】
以下、本発明に係る実施形態を図面に基づいて説明する。なお、各図において同一の符号を付した構成は、同一の構成であることを示し、その説明を省略する。
【００２２】
（第１実施形態）
図１は、本発明の第１の実施形態に係る環境温度制御装置を用いた環境温度制御システムの構成の一例を説明するための説明図である。図１に示す環境温度制御システムは、例えば部屋の壁面に取り付けられた空調装置１と、例えば部屋の床下に、床表面を暖めるように設けられた床暖房装置２と、例えば空調装置１の下方で部屋の壁面に取り付けられた略箱状の環境温度制御装置３とを備えている。環境温度制御装置３の前面には、タッチパネル３１が配設されている。そして、環境温度制御装置３と空調装置１とは、例えばケーブル３２によって接続され、環境温度制御装置３と空調装置１とは、例えばケーブル３３によって接続されている。
【００２３】
空調装置１は、室内の空気を暖めることにより、室内の室温を調節する空調装置であり、例えば室外に設けられた図略の室外機との間で熱交換することにより室内の空気を暖めるものであってもよく、例えば電熱ヒータを用いて室内の空気を暖めるものであってもよく、あるいは、ガスや灯油等の燃料を燃焼させることによって空気を暖めるものであってもよい。
【００２４】
床暖房装置２は、部屋の床を暖める暖房装置であり、例えば床板の下に設けられた電熱ヒータを用いて床を暖めるものであってもよく、床下に設けられたパイプに温水を循環させることによって床を暖めるものであってもよく、あるいは電熱ヒータが組み込まれたいわゆるホットカーペットを床の上に敷いたものであってもよい。
【００２５】
環境温度制御装置３は、空調装置１による室温の調節動作と床暖房装置２による床の表面温度の調節動作とを制御する制御装置である。
【００２６】
図２は、本発明の一実施形態に係る環境温度制御方法を用いた環境温度制御装置３の構成の一例を示すブロック図である。図２に示す環境温度制御装置３は、タッチパネル３１と、通信Ｉ／Ｆ部３４，３５と、暖房感レベル記憶部３６と、制御部３７とを備えている。
【００２７】
通信Ｉ／Ｆ部３４，３５は、例えば制御部３７から出力されたパラレル信号を、シリアル信号に変換してケーブル３２，３３をそれぞれ介して空調装置１、床暖房装置２へ出力し、空調装置１、床暖房装置２からケーブル３２，３３をそれぞれ介して出力されたシリアル信号をパラレル信号に変換して制御部３７へ出力するシリアル通信回路で、例えばＵＳＡＲＴ（Universal Synchronous and Asynchronous Receiver-Transmitter）を用いて構成されている。なお、通信Ｉ／Ｆ部３４，３５は、ケーブル３２，３３を介して空調装置１、床暖房装置２との間で有線通信を行う例に限られず、例えばＩｒＤＡ（Infrared Data Association）規格等に準拠した赤外線通信によって通信を行うものであってもよく、電波を用いて通信を行う無線通信回路であってもよい。
【００２８】
タッチパネル３１は、例えば液晶表示パネルの表面に透明の感圧センサを備えて構成されており、制御部３７からの制御信号に応じて種々の情報を表示すると共に、ユーザによる暖房感レベルを選択する選択指示を受け付ける暖房感レベル受付部、及び室温の設定指示を受け付ける温度設定受付部として機能する。
【００２９】
暖房感レベル記憶部３６は、室温と床の表面温度との組み合わせのうち、人体により略同一の暖かさが体感される組み合わせを示す組み合わせの集合として予め設定された暖房感レベルを、複数の暖かさについてそれぞれ予め記憶する記憶部で、例えばＥＥＰＲＯＭ（Electrically Erasable and Programmable Read Only Memory）やフラッシュメモリ等、不揮発性の記憶素子を用いて構成されている。
【００３０】
制御部３７は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成され、ＲＯＭに記憶された制御プログラムを実行することにより、タッチパネル３１で受け付けられた選択指示により選択された暖房感レベルである選択暖房感レベルで示される室温と床の表面温度との組み合わせにさせるべく、制御信号を通信Ｉ／Ｆ部３４，３５へ出力して空調装置１による室温の調節動作と床暖房装置２による床の表面温度の調節動作とを制御する。
【００３１】
次に、上述のように構成された環境温度制御装置３の動作について説明する。図３は、環境温度制御装置３の動作を説明するためのグラフである。図３に示すグラフＧ１は、横軸が床の表面温度、縦軸が室温を示している。そして、複数の暖房感レベルＤ１〜Ｄ５は、それぞれ、人体により略同一の暖かさが体感される室温と床の表面温度との組み合わせの集合をグラフで示したものである。例えば、暖房感レベルＤ１においては、室温１９度、床表面温度２８度の場合と、室温２０度、床表面温度２６度の場合とで、人体の体感温度は略同一であることを示している。また、例えば、暖房感レベルＤ３においては、室温２０度、床表面温度３０度の場合と、室温２２度、床表面温度２６度の場合とで、人体の体感温度は略同一であることを示している。
【００３２】
図３に示す暖房感レベルＤ１〜Ｄ５は、例えば予め実験的に求められたもので、暖房感レベル記憶部３６に予め記憶されている。この場合、人の体感温度が略同一となる室温と床表面温度との組み合わせは、室温が上昇すれば床表面温度は低下し、室温が低下すれば床表面温度は上昇する関係にあるので、暖房感レベルＤ１〜Ｄ５は、それぞれ室温の増減に応じて床の表面温度が減増するべく設定されている。これにより、人の体感温度が略同一となる室温と床表面温度との組み合わせが、各暖房感レベルとして設定されるようになっている。
【００３３】
また、図３において、一般的に人が快適と感じる室温と床表面温度との組み合わせの範囲を、快適温度範囲Ｋ１で示している。そして、暖房感レベルＤ１〜Ｄ５は、快適温度範囲Ｋ１の範囲内で設定されている。また、暖房感レベルＤ１は、暖房感が低めに設定され、順次暖房感レベルＤ５へ向かって暖房感が高くなるように設定されている。
【００３４】
なお、暖房感レベルが五段階の例を示したが、五段階に限らず、二つ以上の暖房感レベルが予め設定され、暖房感レベル記憶部３６に記憶されていればよい。
【００３５】
そして、まず、制御部３７によって、暖房感レベル記憶部３６によって記憶されている暖房感レベルＤ１〜Ｄ５が読み出されると共にタッチパネル３１へ出力され、タッチパネル３１によって、暖房感レベルＤ１〜Ｄ５が例えば図３に示すグラフＧ１と同様にグラフ化されて表示される。
【００３６】
次に、ユーザが例えばタッチパネル３１の画面に表示された暖房感レベルＤ１〜Ｄ５のうちいずれか、例えば暖房感レベルＤ１の表示を押圧すると暖房感レベルＤ１が選択され、例えば暖房感レベルＤ３の表示を押圧すると暖房感レベルＤ３が選択されて、当該選択された選択暖房感レベルを示す信号が、タッチパネル３１から制御部３７へ出力される。
【００３７】
この場合、ユーザは、好みにより、例えば低めの温度で快適と感じるユーザは暖房感レベルＤ１を選択すればよく、例えば高めの温度で快適と感じるユーザは暖房感レベルＤ５を選択すればよく、適宜暖房感レベルＤ１〜Ｄ５のうちいずれか、快適と感じる暖房感レベルを選択すればよい。
【００３８】
次に、ユーザが例えばタッチパネル３１の画面に表示されたグラフＧ１の縦軸、すなわち室温の表示を押圧すると、タッチパネル３１によって、押圧された室温の設定が受け付けられ、当該室温を示す信号が制御部３７へ出力される。
【００３９】
そして、制御部３７によって、タッチパネル３１により受け付けられた室温にさせるべく、通信Ｉ／Ｆ部３４とケーブル３２とを介して空調装置１へ制御信号が出力される。また、制御部３７によって、タッチパネル３１により選択された選択暖房感レベルを示すデータが暖房感レベル記憶部３６から読み出され、タッチパネル３１により受け付けられた室温に対して、当該読み出された選択暖房感レベルにより組み合わされている床の表面温度にさせるべく、通信Ｉ／Ｆ部３５とケーブル３３とを介して床暖房装置２へ制御信号が出力される。
【００４０】
これにより、ユーザの好みに応じて選択された暖房感レベルであって、かつユーザの好みに応じて選択された室温となるように、空調装置１と床暖房装置２との動作が制御されるので、体感温度の個人差を吸収しつつ空調装置と床暖房装置とを協調動作させて快適性を向上することができる。
【００４１】
なお、タッチパネル３１によって、室温の設定が受け付けられる例に限られず、例えば、ユーザがタッチパネル３１の画面に表示されたグラフＧ１の横軸、すなわち床表面温度の表示を押圧すると、タッチパネル３１によって、押圧された床表面温度の設定が受け付けられ、当該床表面温度を示す信号が制御部３７へ出力されるようにしてもよい。
【００４２】
そして、制御部３７によって、タッチパネル３１により受け付けられた床表面温度にさせるべく、通信Ｉ／Ｆ部３５とケーブル３３とを介して床暖房装置２へ制御信号が出力される。さらに、制御部３７によって、タッチパネル３１により選択された選択暖房感レベルを示すデータが暖房感レベル記憶部３６から読み出され、タッチパネル３１により受け付けられた床表面温度に対して、当該読み出された選択暖房感レベルにより組み合わされている室温にさせるべく、通信Ｉ／Ｆ部３４とケーブル３２とを介して空調装置１へ制御信号が出力されるようにしてもよい。
【００４３】
これにより、ユーザの好みに応じて選択された暖房感レベルであって、かつユーザの好みに応じて選択された床表面温度となるように、空調装置１と床暖房装置２との動作が制御されるので、体感温度の個人差を吸収しつつ空調装置と床暖房装置とを協調動作させて快適性を向上することができる。
【００４４】
また、タッチパネル３１によって、室温と床の表面温度とのうち優先すべき温度の設定が受け付けられるようにしてもよい。例えば、ユーザがタッチパネル３１の画面に表示されたグラフＧ１の縦軸、すなわち室温の表示と、グラフＧ１の横軸、すなわち床表面温度の表示とのうちいずれか一方を押圧すると、タッチパネル３１によって、押圧された温度が優先すべき温度の設定として受け付けられ、当該優先すべき温度を示す信号が制御部３７へ出力されるようにしてもよい。
【００４５】
そして、制御部３７によって、タッチパネル３１により優先すべき温度として室温が受け付けられた場合、タッチパネル３１により受け付けられた室温にさせるべく、通信Ｉ／Ｆ部３４とケーブル３２とを介して空調装置１へ制御信号が出力される。さらに、制御部３７によって、タッチパネル３１により選択された選択暖房感レベルを示すデータが暖房感レベル記憶部３６から読み出され、タッチパネル３１により受け付けられた室温に対して、当該読み出された選択暖房感レベルにより組み合わされている床の表面温度にさせるべく、通信Ｉ／Ｆ部３５とケーブル３３とを介して床暖房装置２へ制御信号が出力されるようにしてもよい。
【００４６】
これにより、ユーザの好みに応じて選択された暖房感レベルであって、かつユーザの好みに応じて選択された室温及び床表面温度のうちいずれかとなるように、空調装置１と床暖房装置２との動作が制御されるので、体感温度の個人差を吸収しつつ空調装置と床暖房装置とを協調動作させて快適性を向上することができる。
【００４７】
また、暖房感レベルＤ１〜Ｄ５は、快適温度範囲Ｋ１の範囲内で設定されているので、一般的に人が快適と感じる室温と床表面温度との組み合わせの範囲内で、空調装置１と床暖房装置２との動作が制御される結果、快適な温度環境にすることができる。
【００４８】
なお、タッチパネル３１にグラフＧ１を表示する際に、例えば、快適温度範囲Ｋ１の範囲内を、暖かさを連想させる色、例えばオレンジ色で表示したり、その色をさらに暖房感が高めになる方向に向かって徐々に濃くするなどのグラデーションをつけたりしてもよい。これにより、暖房感レベルを視覚的に認識することが容易となり、暖房感レベルを設定する際の操作性を向上させることができる。
【００４９】
また、暖房感レベル、室温、及び床表面温度の設定は、タッチパネルに限らず、例えばテンキースイッチやロータリースイッチ、ディップスイッチ等の操作スイッチにより受け付けられるようにしてもよい。
【００５０】
（第２実施形態）
次に、本発明の第２の実施形態に係る環境温度制御装置を用いた環境温度制御システムについて説明する。本発明の第２の実施形態に係る環境温度制御装置３ａを用いた環境温度制御システムは、第１の実施形態に係る環境温度制御装置３を用いた環境温度制御システムと同様、図１に示される。図４は、本発明の一実施形態に係る環境温度制御方法を用いた環境温度制御装置３ａの構成の一例を示すブロック図である。図４に示す環境温度制御装置３ａと図２に示す環境温度制御装置３とでは、下記の点で異なる。
【００５１】
すなわち、図４に示す環境温度制御装置３ａは、空調装置１と床暖房装置２とによって、室温と床の表面温度とを調節するためのエネルギー効率が略同一となる室温と床の表面温度との組み合わせの集合として予め設定された省エネレベルを、複数のエネルギー効率に対してそれぞれ記憶する省エネレベル記憶部３８をさらに備える。省エネレベル記憶部３８は、例えば暖房感レベル記憶部３６と同様、不揮発性の記憶素子を用いて構成されており、例えば暖房感レベル記憶部３６と同一の記憶素子を用いてもよい。
【００５２】
また、タッチパネル３１ａは、さらに、省エネレベル記憶部３６により記憶される複数の省エネレベルのうち、いずれかを選択する選択指示を受け付ける省エネレベル受付部として機能する。
【００５３】
また、制御部３７ａは、選択暖房感レベルで示される室温と床の表面温度との組み合わせであって、かつタッチパネル３１ａにより受け付けられた選択指示により選択された省エネレベルである選択省エネレベルで示される室温と床の表面温度との組み合わせとなる室温と床の表面温度とにさせるべく、空調装置１による室温の調節動作と床暖房装置２による床の表面温度の調節動作とを制御する。
【００５４】
その他の構成は図２に示す環境温度制御装置３と同様であるのでその説明を省略し、以下本実施形態の動作について説明する。図５は、環境温度制御装置３ａの動作を説明するためのグラフである。図５に示すグラフＧ２は、図３に示すグラフＧ１と同様に、横軸が床の表面温度、縦軸が室温を示しており、複数の暖房感レベルＤ１〜Ｄ５と、快適温度範囲Ｋ１とを示している。そして、グラフＧ２は、さらに複数の省エネレベルＳ１〜Ｓ５を示している。
【００５５】
複数の省エネレベルＳ１〜Ｓ５は、それぞれ、空調装置１と床暖房装置２とによって、室温と床の表面温度とを調節するためのエネルギー効率が略同一となる室温と床の表面温度との組み合わせの集合をグラフで示したものである。例えば、省エネレベルＳ１は、空調装置１を動作させず、床暖房装置２の単独運転によって暖房を行った場合の省エネレベルを示している。この場合、床の表面温度のみによって暖房が行われることにより、暖かさが人体により体感される。そうすると、床暖房装置２は、空調装置１よりもエネルギー効率が低いために、省エネレベルＳ１は、所定の暖かさを得るためのエネルギー効率が最低となる室温と床表面温度との組み合わせとなり、省エネルギーの観点からは、省エネレベルＳ１は、例えば省エネ度０％として示される。
【００５６】
また、例えば、省エネレベルＳ５は、快適温度範囲Ｋ１の範囲内において、人体により体感される暖かさを得るために寄与する室温の度合いが最も大きくなる室温と床の表面温度との組み合わせを示している。この場合、室温を調節する空調装置１によって優先的に暖房が行われ、空調装置１は、床暖房装置２よりエネルギー効率が高いため、省エネレベルＳ５は、所定の暖かさを得るためのエネルギー効率が快適温度範囲Ｋ１の範囲内において最大となる室温と床表面温度との組み合わせを示し、省エネルギーの観点からは、省エネレベルＳ５は、例えば省エネ度１００％として示される。
【００５７】
そして、例えば省エネレベルＳ３は、省エネレベルＳ１と省エネレベルＳ５とのちょうど中間程度のエネルギー効率が得られる室温と床の表面温度との組み合わせを示しており、例えば省エネ度５０％として示される。同様に、例えば省エネレベルＳ２は、省エネレベルＳ１と省エネレベルＳ３とのちょうど中間程度のエネルギー効率が得られる室温と床の表面温度との組み合わせを示しており、例えば省エネ度２５％として示され、例えば省エネレベルＳ４は、省エネレベルＳ３と省エネレベルＳ５とのちょうど中間程度のエネルギー効率が得られる室温と床の表面温度との組み合わせを示しており、例えば省エネ度７５％として示される。
【００５８】
そして、図５に示す省エネレベルＳ１〜Ｓ５は、例えば省エネレベル記憶部３８に予め記憶されている。この場合、室温と床の表面温度とを調節するためのエネルギー効率が略同一となる室温と床の表面温度との組み合わせは、室温が上昇すれば床表面温度も上昇し、室温が低下すれば床表面温度も低下する関係にあるので、省エネレベルＳ１〜Ｓ５は、それぞれ室温の増減に応じて床の表面温度が増減するべく設定されている。これにより、空調装置１と床暖房装置２とによって、室温と床の表面温度とを調節するためのエネルギー効率が略同一となる室温と床表面温度との組み合わせが、省エネレベルとして設定されるようになっている。
【００５９】
なお、省エネレベルが五段階の例を示したが、五段階に限らず、二つ以上の省エネレベルが予め設定され、省エネレベル記憶部３８に記憶されていればよい。
【００６０】
そして、まず、制御部３７ａによって、暖房感レベル記憶部３６に記憶されている暖房感レベルＤ１〜Ｄ５と省エネレベル記憶部３８によって記憶されている省エネレベルＳ１〜Ｓ５とが読み出されると共にタッチパネル３１ａへ出力され、タッチパネル３１ａによって、暖房感レベルＤ１〜Ｄ５と省エネレベルＳ１〜Ｓ５とが例えば図５に示すグラフＧ２と同様にグラフ化されて表示される。
【００６１】
次に、ユーザが例えばタッチパネル３１ａの画面に表示された暖房感レベルＤ１〜Ｄ５のうちいずれか、例えば暖房感レベルＤ１の表示を押圧すると暖房感レベルＤ１が選択され、例えば暖房感レベルＤ３の表示を押圧すると暖房感レベルＤ３が選択されて、当該選択された選択暖房感レベルを示す信号が、タッチパネル３１ａから制御部３７へ出力される。
【００６２】
この場合、ユーザは、好みにより、例えば低めの温度で快適と感じるユーザは暖房感レベルＤ１を選択すればよく、例えば高めの温度で快適と感じるユーザは暖房感レベルＤ５を選択すればよく、適宜暖房感レベルＤ１〜Ｄ５のうちいずれか、快適と感じる暖房感レベルを選択すればよい。
【００６３】
次に、ユーザが例えばタッチパネル３１ａの画面に表示された省エネレベルＳ１〜Ｓ５のうちいずれか、例えば省エネレベルＳ１の表示を押圧すると省エネレベルＳ１が選択され、例えば省エネレベルＳ３の表示を押圧すると省エネレベルＳ３が選択されて、当該選択された選択省エネレベルを示す信号が、タッチパネル３１ａから制御部３７ａへ出力される。
【００６４】
この場合、ユーザは、省エネを優先したければ省エネレベルＳ５を選択すればよく、省エネが不要であって、床表面温度を高めたければ省エネレベルＳ１を選択すればよく、適宜省エネレベルＳ１〜Ｓ５のうちいずれかを選択すればよい。
【００６５】
そして、制御部３７ａによって、タッチパネル３１ａで選択された選択暖房感レベルと選択省エネレベルとを示すデータが暖房感レベル記憶部３６と省エネレベル記憶部３８とから読み出され、選択暖房感レベルで示される室温と床の表面温度との組み合わせであって、かつ選択省エネレベルで示される室温と床の表面温度との組み合わせ、すなわち図５に示す暖房感レベルと省エネレベルとが交差する点における室温と床の表面温度とが設定温度として取得される。
【００６６】
例えば、選択暖房感レベルが暖房感レベルＤ２であって、選択省エネレベルが省エネレベルＳ４であれば、暖房感レベルＤ２と省エネレベルＳ４とが交差する点における室温２１度と床表面温度２６度とが、制御部３７ａによって設定温度として取得される。
【００６７】
そして、制御部３７ａによって、当該取得された設定温度、例えば室温２１度にさせるべく通信Ｉ／Ｆ部３４とケーブル３２とを介して空調装置１へ制御信号が出力されると共に、例えば床表面温度２６にさせるべく通信Ｉ／Ｆ部３５とケーブル３３とを介して床暖房装置２へ制御信号が出力される。
【００６８】
これにより、ユーザの好みに応じて選択された暖房感レベルであって、かつユーザの選択した省エネレベルで空調装置１と床暖房装置２との動作が制御されるので、エネルギー消費量を低減させつつ体感温度の個人差を吸収し、空調装置と床暖房装置とを協調動作させて快適性を向上することができる。
【００６９】
また、省エネレベルＳ１〜Ｓ５は、快適温度範囲Ｋ１の範囲内で設定されているので、一般的に人が快適と感じる室温と床表面温度との組み合わせの範囲内で、空調装置１と床暖房装置２との動作が制御される結果、ユーザの選択に応じてエネルギー消費量を低減させつつ快適な温度環境にすることができる。
【００７０】
なお、タッチパネル３１ａにグラフＧ２を表示する際に、例えば、快適温度範囲Ｋ１の範囲内を、エネルギー消費を連想させる色、例えば緑や黄色で表示したり、その色をさらにエネルギー消費が増大する方向に向かって徐々に濃くしたり、緑から黄色に徐々に変化させたりするなどのグラデーションをつけたりしてもよい。これにより、省エネレベルを視覚的に認識することが容易となり、省エネレベルを設定する際の操作性を向上させることができる。
【００７１】
また、暖房感レベルや省エネレベルの設定は、タッチパネルに限らず、例えばテンキースイッチやロータリースイッチ、ディップスイッチ等の操作スイッチにより受け付けられるようにしてもよい。
【図面の簡単な説明】
【００７２】
【図１】本発明の第１の実施形態に係る環境温度制御装置を用いた環境温度制御システムの構成の一例を説明するための説明図である。
【図２】本発明の一実施形態に係る環境温度制御方法を用いた環境温度制御装置の構成の一例を示すブロック図である。
【図３】図２に示す環境温度制御装置の動作を説明するためのグラフである。
【図４】本発明の第２の実施形態に係る環境温度制御装置の構成の一例を示すブロック図である。
【図５】図４に示す環境温度制御装置の動作を説明するためのグラフである。
【図６】背景技術に係る暖房方法による室温と床表面温度との関係を示すグラフである。
【符号の説明】
【００７３】
１  空調装置
２  床暖房装置
３，３ａ  環境温度制御装置
３１，３１ａ  タッチパネル
３６  暖房感レベル記憶部
３７，３７ａ  制御部
３８  省エネレベル記憶部
【図１】
0004640187.tif 000002
【図２】
0004640187.tif 000003
【図３】
0004640187.tif 000004
【図４】
0004640187.tif 000005
【図５】
0004640187.tif 000006
【図６】
0004640187.tif 000007